(57)【要約】【課題】本発明は、広幅原稿の読み取りセットを適切に行う画像読み取り装置に関する。【解決手段】デジタル複写装置１は、原稿挿入口６７から挿入される広幅の原稿Ｇの先端を原稿挿入センサ６１が検出すると、入口ローラ対６２を密着センサ６４へ原稿Ｇを送り出す方向に所定量回転駆動させて、該原稿Ｇの先端部を該入口ローラ対６２に咥え込ませて、一旦停止させた後、密着センサ６４へ送り出すとともに、所定のタイミングで、原稿Ｇの原稿挿入口６７への逆送を指示する操作部１５の原稿逆転排出キーが指示操作されると、入口ローラ対６２を逆回転させて原稿Ｇを原稿挿入口６７の方向に逆送させる。【選択図】          図１
2012173355.tif 000002
【特許請求の範囲】
【請求項１】
広幅の原稿の画像を読み取る画像読み取り手段と、
原稿挿入口から挿入される前記原稿の先端部分を咥え込んで前記画像読み取り手段へ送り出す入口ローラと、
前記原稿挿入口から挿入される前記原稿を検出する挿入原稿検出手段と、
前記原稿の前記原稿挿入口への逆送を指示操作する原稿逆送指示手段と、
前記挿入原稿検出手段が前記原稿の先端を検出すると、前記入口ローラを前記画像読み取り手段へ送り出す方向に所定量回転駆動させて、該原稿の先端部を該入口ローラに咥え込ませて、一旦停止させた後、前記画像読み取り手段へ送り出すとともに、所定のタイミングで、前記原稿逆送指示手段が指示操作されると、該入口ローラを逆回転させて該原稿を前記原稿挿入口方向に逆送させる駆動制御手段と、
を備えていることを特徴とする画像読み取り装置。
【請求項２】
前記駆動制御手段は、
前記原稿挿入口から挿入された前記原稿を前記入口ローラが咥え込む前のタイミングに、前記原稿逆送指示手段が操作されると、該入口ローラに該原稿を咥え込ませて一旦停止させた後、該入口ローラを逆回転させることを特徴とする請求項１記載の画像読み取り装置。
【請求項３】
前記駆動制御手段は、
前記原稿挿入口から挿入された前記原稿を前記入口ローラが咥え込んで、停止させているタイミングで、前記原稿逆送指示手段が操作されると、速やかに該入口ローラを逆回転させることを特徴とする請求項１記載の画像読み取り装置。
【請求項４】
前記駆動制御手段は、
前記入口ローラが前記原稿を咥え込んだ後、前記画像読み取り手段方向への送り出しを開始して、所定位置まで該原稿が到達する前のタイミングに、前記原稿逆送指示手段が操作されると、該入口ローラを一旦停止させた後、逆回転させることを特徴とする請求項１記載の画像読み取り装置。
【請求項５】
前記画像読み取り装置は、
所定の表示手段と、
動作の選択操作を行う所定の選択操作手段と、
を備え、
前記駆動制御手段は、
前記原稿逆送指示手段が操作されると、前記入口ローラを停止させて、前記表示手段に、その後の前記原稿処理内容を選択させる処理選択画面を表示させ、該処理選択画面の表示に応じて前記選択操作手段で選択された処理を前記入口ローラに行わせることを特徴とする請求項１から請求項４のいずれかに記載の画像読み取り装置。
【請求項６】
前記画像読み取り装置は、
動作中の動作を停止させる既存の操作キーに、前記原稿逆送指示手段としての機能を割り付けられていることを特徴とする請求項１から請求項４のいずれかに記載の画像読み取り装置。
【発明の詳細な説明】
【技術分野】
【０００１】
本発明は、画像読み取り装置に関し、詳細には、広幅原稿を読み取るスキャナ装置、複写装置、複合装置等の画像読み取り装置に関する。
【背景技術】
【０００２】
原稿の画像を読み取る画像読み取り装置は、大きく分けてＡ４サイズ程度までの比較的幅サイズの狭い原稿を、ＡＤＦ（Auto Document Feeder：原稿自動給紙装置）に複数枚載置して、ＡＤＦによって１枚ずつ分離して原稿読み取り部に搬送して、該原稿を主走査及び副走査して原稿の画像を読み取っている。この場合、原稿読み取り部としては、搬送されてきた原稿をコンタクトガラス上に固定して、副走査方向に移動する光学系によって原稿の画像を読み取るブック型読み取りと、原稿読み取り窓ガラス上をＡＤＦによって搬送される原稿に読み取り光を照射してその反射光を光電変換して読み取るシートスルー型とがある。
【０００３】
一方、Ａ０サイズ等の広幅原稿の画像を読み取る広幅画像読み取り装置においては、幅広原稿を取り扱うことからＡＤＦを用いずに、原稿挿入口に手操作で挿入される原稿の先端部を、入口ローラによって咥え込んで、咥え込んだ状態で原稿に傾きやしわ等がなければ、ユーザが読み取り開始指示を行うことで、あるいは、所定時間経過することで、入口ローラによって広幅原稿を原稿読み取り部に送り出し、搬送される原稿画像を固定された原稿読み取り部で読み取るシートスルー型となっている。このシートスルー型の原稿読み取り部は、搬送される原稿の画像を、ＣＩＳ（Contact Image Sensor：密着イメージセンサ）等の固定された読み取りセンサを用いて読み取っている。
【０００４】
そして、画像読み取り装置においては、原稿の搬送において原稿に皴が寄ったり、原稿に傾きが発生したり、ジャムが発生することがある。
【０００５】
このような場合の対応策として、従来、広幅画像読み取り装置においては、入口ローラに咥え込まれた広幅原稿を取り除くために、入口ローラの取り付けられている原稿カバーを開いて、入口ローラによる原稿の咥え込みを解除させて原稿を引き抜いて、再度咥え込みをやり直すか、入口ローラに咥え込まれている原稿を力任せに引き抜いて、再度咥え込みをやり直す方法が用いられている。
【０００６】
一方、ＡＤＦを備えた画像読み取り装置においては、従来、ＡＲＤＦによってコンタクトガラス上に搬送した原稿を排紙トレイへ排出する際に、排紙経路の入り口付近でジャム発生を検知すると、該原稿が送りローラを逆転させることで、排除可能な位置にあるか否かを判断して、原稿の排除が可能であると、送りローラの逆転による原稿排除を行い、送りローラの逆転による排除が不可能であると、判断結果をオペレータに通知する技術が提案されている（特許文献1参照）。
【発明の概要】
【発明が解決しようとする課題】
【０００７】
しかしながら、上記従来技術にあっては、広幅原稿の入口ローラによる咥え込みが不適切な場合に、容易にかつ安価に原稿の咥え込みをやり直せるようにして、利用性を向上させる上で、改良の必要があった。
【０００８】
すなわち、従来の広幅画像読み取り装置にあっては、入口ローラによる原稿先端の咥え込みに傾きやしわ等があると、力任せに原稿を引き抜くか、原稿カバーを開けて原稿の咥え込みを解除する必要があったため、力任せに引き抜く方法では、原稿へのダメージの発生の恐れや操作性が悪いという問題が、また、原稿カバーを開ける方法では、いちいち原稿カバーを開ける必要があり、操作性が悪く、作業性が悪いという問題があった。
【０００９】
また、上記公報記載の従来技術にあっては、ＡＤＦにより比較的幅サイズの小さい原稿をコンタクトガラス上に搬送して読み取りの完了した原稿を排出する際の送りローラの制御についての技術であり、原稿を挿入する際の技術ではなく、適用することができない。
【００１０】
そこで、本発明は、広幅原稿が原稿挿入口に挿入された際の該広幅原稿の咥え込みのやり直しを容易にかつ適切に行うことのできる画像読み取り装置を提供することを目的としている。
【課題を解決するための手段】
【００１１】
本発明は、上記目的を達成するために、原稿挿入口から挿入される広幅の原稿の先端を挿入原稿検出手段が検出すると、入口ローラを画像読み取り手段へ原稿を送り出す方向に所定量回転駆動させて、該原稿の先端部を該入口ローラに咥え込ませて、一旦停止させた後、該画像読み取り手段へ送り出すとともに、所定のタイミングで、原稿の該原稿挿入口への逆送を指示する原稿逆送指示手段が指示操作されると、該入口ローラを逆回転させて該原稿を該原稿挿入口方向に逆送させることを特徴としている。
【００１２】
また、本発明は、前記原稿挿入口から挿入された前記原稿を前記入口ローラが咥え込む前のタイミングに、前記原稿逆送指示手段が操作されると、該入口ローラに該原稿を咥え込ませて一旦停止させた後、該入口ローラを逆回転させることを特徴としてもよい。
【００１３】
さらに、本発明は、前記原稿挿入口から挿入された前記原稿を前記入口ローラが咥え込んで、停止させているタイミングで、前記原稿逆送指示手段が操作されると、速やかに該入口ローラを逆回転させることを特徴としてもよい。
【００１４】
また、本発明は、前記入口ローラが前記原稿を咥え込んだ後、前記画像読み取り手段方向への送り出しを開始して、所定位置まで該原稿が到達する前のタイミングに、前記原稿逆送指示手段が操作されると、該入口ローラを一旦停止させた後、逆回転させることを特徴としてもよい。
【００１５】
さらに、本発明は、前記原稿逆送指示手段が操作されると、前記入口ローラを停止させて、所定の表示手段に、前記原稿の逆送と前記画像読み取り手段への送り出しのいずれかを選択させる動作選択画面を表示させ、該動作選択画面の表示に応じて選択された動作を前記入口ローラに行わせることを特徴としてもよい。
【発明の効果】
【００１６】
本発明によれば、広幅原稿を原稿挿入口に挿入した際の該広幅原稿の咥え込みのやり直しを容易にかつ適切に行うことができる。
【図面の簡単な説明】
【００１７】
【図１】本発明の一実施例を適用したデジタル複写装置の概略構成図。
【図２】操作部の平面図。
【図３】動作判断問い合わせ画面の一例を示す図。
【図４】原稿挿入時のデジタル複写装置の概略構成図。
【発明を実施するための形態】
【００１８】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１９】
図１〜図４は、本発明の画像形成装置、画像形成方法、画像形成プログラム及び記録媒体の一実施例を示す図であり、図１は、本発明の画像形成装置、画像形成方法、画像形成プログラム及び記録媒体の一実施例を適用した画像形成装置１の構成図である。
【００２０】
図１において、デジタル複写装置１は、本体筐体２内に、給紙部３、搬送部４、画像形成部５、定着部６、排紙部７及び画像読み取り部８等が収納されており、さらに、手差しトレイ１０、排紙トレイ１１、原稿台１２、長尺原稿排紙トレイ１３、原稿排紙トレイ１４及び操作部１５（図２参照）等が設けられている。
【００２１】
給紙部３には、複数のロール紙２１がセットされ、それぞれ送り出しローラ２２によりロール紙２１を搬送部４に送り出す。搬送部４は、複数の搬送ローラ３１、カッター３２及びレジストローラ３３等を備えており、適宜の給紙部３から送り出されてきたロール紙２１をカッター３２で適宜の長さにカットして、搬送ローラ３１でレジストローラ３３に搬送する。レジストローラ３３は、搬送されてきたロール紙を画像形成部５での画像転写タイミングに搬送タイミングを調整した後、画像形成部５に搬送する。また、搬送部４は、手差しトレイ１０上にセットされた用紙についても、レジストローラ３３でタイミング調整した後、画像形成部５に搬送する。
【００２２】
画像形成部５は、図１の反時計方向に回転駆動される感光体４１を中心として、帯電部４２、光書込部４３、現像部４４、転写部４５及びクリーニング部４６等が配設されているとともに、定着部４７を備えており、帯電部４２は、例えば、グリッド付きのスコロトロンチャージャが用いられていて、感光体４１を一様に帯電させる。画像形成部５は、帯電部４２により一様に帯電された感光体４１に、画像読み取り部８で読み取った原稿の画像データに基づいて点灯制御される光を光書込部４３が照射することで、光の照射された部分の感光体４１表面の電荷を光導電現象でアースに流して消滅させて静電潜像を形成して、静電潜像の形成された感光体４１に現像部４４がトナー（現像剤）を付着させてトナー画像（現像剤像）を形成する。すなわち、現像部４４内のトナーは、撹拌によって負に帯電されており、バイアスは、−７００Ｖに印加されていて、感光体４１の光の照射部分にだけトナーが付着する。画像形成部５は、感光体４１上に形成したトナー画像を、給紙部３から搬送部４によって搬送されてきたロール紙２１または手指しトレイからの用紙に転写部４５で転写し、転写の完了した用紙を定着部６に搬送する。また、画像形成部５は、転写の完了した感光体４１上の残留トナーをクリーニング部４６でクリーニングし、清浄にクリーニングされた感光体４１を図示しない除電部で除電した後、帯電部４２で一様に帯電させて、再度画像形成に供する。
【００２３】
定着部６は、所定の定着温度に加熱される加熱ローラと、加熱ローラに圧接されている加圧ローラとを備え、画像形成部５から搬送されてくるトナー画像の転写されている用紙を搬送しつつ加熱・加圧して、トナー画像を用紙に定着させて、定着の完了した用紙を排紙部７に排出する。
【００２４】
排紙部７は、排紙ローラ５１、５２を備え、これらの排紙ローラ５１、５２で、定着の完了した用紙を排紙トレイ１１上に排出する。
【００２５】
上記画像読み取り部８は、原稿挿入センサ６１、入口ローラ対（入口ローラ）６２、原稿レジストセンサ６３、密着センサ６４、密着センサ６４と対向する位置に配設されている白基準部材６５及び原稿排出ローラ対６６等を備えている。画像読み取り部８は、原稿挿入センサ６１が原稿挿入口６７から挿入された原稿Ｇ（図４参照）の先端を検出すると、コントローラ（駆動制御手段）の制御下で、入口ローラ対６２を正転方向（原稿Ｇを密着センサ６４へ送り出す回転方向）に所定量回転させて、原稿Ｇの先端部を入口ローラ対６２に咥え込ませる。画像読み取り部８は、入口ローラ対６２が原稿Ｇを咥え込んだ後、スタートキー７２が操作されるか、所定時間経過すると、入口ローラ対６２の回転を開始して、原稿Ｇを密着センサ６４と白基準部材６５の間に搬送する。画像読み取り部８は、この密着センサ６４に搬送される原稿Ｇを原稿レジストセンサ６３で検出して、密着センサ６４による原稿Ｇの読み取りタイミングを調整する。画像読み取り部８は、入口ローラ対６２により密着センサ６４と白基準部材６５との間に搬送されてきた原稿Ｇを白基準部材６５、入口ローラ対６２及び原稿排出ローラ対６６で搬送しつつ密着センサ６４で、搬送される原稿Ｇを主走査及び副走査して、原稿Ｇの画像を読み取る。すなわち、密着センサ６４は、例えば、ＣＩＳ（Contact Image Sensor：密着イメージセンサ）が用いられており、その光源（例えば、ＬＥＤ）から原稿Ｇに読み取り光を照射して、原稿Ｇで反射された画像情報を含む反射光をＣＣＤ(Charge Coupled Device）等の光電変換素子で光電変換してアナログの画像信号を出力する。画像読み取り部８は、読み取りの完了した原稿Ｇを原稿排出ローラ対６６により長尺原稿排紙トレイ１３または原稿排紙トレイ１４上に排出する。なお、白基準部材６５は、照明ムラや密着センサ６４の画素毎の感度ムラに等に起因するバラツキを補正するシェーディング補正に利用され、デジタル複写装置１は、この白基準部材６５を読み取ったときの密着センサ６４の出力するデータをシェーディングデータ（白基準データ）として用いてシェーディング補正する。
【００２６】
デジタル複写装置１は、画像読み取り部８がＡ０等の広幅で、かつ、長尺の原稿Ｇを読み取り可能な構成となっており、原稿読み取り部８の原稿挿入口６７が広幅の原稿Ｇを挿入可能な幅を有しているとともに、密着センサ６４が該広幅の原稿Ｇを読み取り可能な幅を有している。また、上記入口センサ対６２と原稿排出ローラ対６６の上側のローラ及び白基準部材６５はデジタル複写装置１の本体筺体２に対して開閉可能に配設されている読み取り部カバー６８側に配設されており、読み取り部カバー６８が上方に開かれると、読み取り部カバー６８とともに、上方に移動して、読み取り部カバー６８が閉じられると、読み取り部カバー６８とともに下方に降りて対抗するローラに当接したり、密着センサ６４と対向する。したがって、読み取り部８内で原稿Ｇにジャムが発生した場合等には、読み取り部カバー６８を開いて、ジャムの発生した原稿Ｇを取り除くことができる。
【００２７】
そして、操作部１５は、図２に示すように、テンキー７１、スタートキー７２、ストップキー７３、原稿緊急停止キー７４及び原稿逆転排出キー（原稿逆送指示手段）７５等の複数のキーを備えているとともに、表示部（表示手段）７６を備えており、表示部７６は、液晶ディスプレイと該液晶ディスプレイに重ねられたタッチパネルで構成されていて、液晶ディスプレイに表示される機能ボタンをタッチ操作することで、ボタン操作が可能なタッチパネル付きディスプレイである。
【００２８】
スタートキー７２は、従来の画像形成装置にも設けられているキーであり、入口ローラ対６２に咥え込まれた原稿Ｇを取り込んで読み取りを開始させる操作を行うのに使用される。
【００２９】
ストップキー７３は、従来の画像形成装置にも設けられているキーであり、押下操作時に実行中の動作を完了させた後に、該動作を停止させるキーである。例えば、スタートキー７２は、原稿Ｇの読み取り動作中や画像形成動作中に押下操作されると、読み取り中である原稿Ｇ１枚の読み取り動作が完了した時点、または、画像形成中の１枚の用紙への画像形成動作が完了した時点で、該動作を停止させるために使用される。
【００３０】
原稿緊急停止キー７４は、従来の画像形成装置にも設けられているキーであり、原稿Ｇの搬送動作を速やかに中断して、原稿Ｇの搬送を停止させるキーである。この原稿緊急停止キー７４は、原稿Ｇの入口ローラ対６２による咥え込み後にのみ機能し、入口ローラ対６２による原稿Ｇの咥え込み前に操作されても、機能しない。
【００３１】
そして、原稿逆転排出キー７５は、入口ローラ対６２が咥え込んだ原稿Ｇを原稿台１２上に送り返させるために操作されるキーである。デジタル複写装置１は、入口ローラ対６２が原稿Ｇを咥え込んでいる状態で原稿逆転排出キー７５が押下操作されると、入口ローラ対６２を逆回転させて原稿Ｇを原稿台１２へ送り返し、入口ローラ対６２が原稿Ｇを咥え込む前に原稿逆転排出キー７５が押下操作されると、一旦入口ローラ対６２に原稿Ｇを咥え込ませた後に、入口ローラ対６２を逆回転させて原稿Ｇを原稿台１２へ送り返す。また、デジタル複写装置１は、入口ローラ対６２が咥え込んだ原稿Ｇを密着センサ６４方向に搬送を開始した後に、原稿逆転排出キー７５が押下操作されると、所定の位置まで搬送される前であれば、例えば、原稿レジストセンサ６３の位置まで原稿Ｇが搬送される前であれば、該原稿Ｇの搬送を一旦入口ローラ対６２の回転を停止した後、入口ローラ対６２を逆転させて原稿Ｇを原稿台１２へ送り返す。
【００３２】
次に、本実施例の作用を説明する。本実施例のデジタル複写装置１は、広幅で長尺の原稿Ｇを読み取らせる際に、入口ローラ対６２での原稿Ｇの先端の咥え込みを簡単かつ適切にやり直しさせる。
【００３３】
すなわち、デジタル複写装置１は、図３に示すように、長尺で広幅の原稿Ｇを読み取る場合、ユーザが、原稿Ｇを手に持って、原稿面を下側（原稿台１２側）にして原稿Ｇの先端側を原稿台１２上に載せて、原稿Ｇの先端を原稿挿入口６７から画像読み取り部８内に挿入する。このとき、ユーザは、図３に示すように、幅が広く、デジタル複写装置１の全面側まで垂れ下がる長尺で広幅の原稿Ｇの幅方向両端部を抱えながら原稿挿入口６７に原稿Ｇを挿入することとなる。したがって、原稿挿入口６７に、原稿Ｇの先端を、挿入する際に、原稿Ｇに傾きやしわ等が発生するおそれがある。
【００３４】
デジタル複写装置１は、原稿Ｇが原稿挿入口６７から挿入されてくると、コントローラの制御下で、原稿挿入センサ６１が、該原稿Ｇの先端を検出し、入口ローラ対６２を所定量回転駆動させて、原稿Ｇの先端を咥え込む咥え込み動作を行い、挿入された原稿Ｇの先端部を入口ローラ対６２が固定する状態となる。
【００３５】
ユーザは、原稿Ｇを原稿挿入センサ６１が検出した後であって、原稿Ｇの先端が入口ローラ対６２に咥え込まれる前、または、入口ローラ対６２に咥え込まれた状態で、原稿Ｇの挿入状態または原稿Ｇの咥え込み状態が適切であるか否か、すなわち、原稿Ｇに皴、傾き等が発生していないか否か等を目視で判断し、原稿Ｇの挿入状態または原稿Ｇの咥え込み状態が不適切であると、操作部１５の原稿逆転排出キー７５を押下操作する。
【００３６】
デジタル複写装置１は、原稿Ｇを原稿挿入センサ６１が検出して、入口ローラ対６２を駆動させて、入口ローラ対６２が原稿Ｇを咥え込む前、または、入口ローラ対６２が原稿Ｇを咥え込んだ後に、原稿逆転排出キー７５が押下されると、入口ローラ対６２が原稿Ｇを咥え込む前には、入口ローラ対６２が原稿Ｇを咥え込むのを待って、入口ローラ対６２を逆転させて、原稿Ｇを原稿台１２方向に送り返し、また、入口ローラ対６２が既に原稿Ｇを咥え込んでいるときには、直ちに、入口ローラ対６２を逆回転させて、原稿Ｇを原稿台１２方向に送り返す。
【００３７】
したがって、ユーザは、原稿Ｇを原稿挿入口６７から挿入した原稿Ｇの状態が不適切であると、原稿逆転排出キー７５を押すことで、従来のように、力任せに原稿Ｇを引き抜いたり、いちいち読み取り部カバー６８を開いて入口ローラ対６２の当接を解除して、原稿Ｇを引き抜く手間をかけることなく、適切かつ容易に原稿Ｇを原稿台１２に戻させることができ、原稿Ｇの挿入のやり直しを容易に行うことができる。
【００３８】
デジタル複写装置１は、原稿挿入センサ６１が原稿Ｇの先端を検出して、入口ローラ対６２で原稿Ｇの先端部を咥え込むと、その後、スタートキー７２が操作されるか、予め設定されている所定時間が経過すると、入口ローラ対６２を回転駆動させて、入口ローラ対６２によって原稿Ｇを密着センサ６４方向に搬送し、原稿レジストセンサ６３が原稿先端を検出すると、原稿Ｇの搬送を一旦停止して、密着センサ６４による読み取りタイミングとタイミング調整を行って、原稿Ｇの搬送を再開する。デジタル複写装置１は、入口ローラ及び原稿排出ローラ６６で搬送される原稿Ｇの画像を、密着センサ６４で読み取り、密着センサ６４で画像の読み取られた原稿Ｇを原稿排出ローラ６６により長尺原稿排紙トレイ１３上に排出する。
【００３９】
デジタル複写装置１は、この原稿Ｇを入口ローラ対６２で密着センサ６４に搬送している途中で、例えば、原稿Ｇの先端が原稿レジストセンサ６３に到達する前に、原稿逆転排出キー７５が押下操作されると、入口ローラ対６２を直ちに停止させ、その後、入口ローラ対６２を逆回転させて、原稿Ｇを原稿台１２方向に送り返す。
【００４０】
したがって、原稿Ｇの位置が、原稿レジストセンサ６３に到達する前等の原稿Ｇを原稿台１２に適切に送り返すことのできる位置であれば、原稿逆転排出キー７５を操作することで、原稿Ｇの送り込みを簡単かつ容易やり直すことができる。
【００４１】
また、デジタル複写装置１は、所定タイミングにおいて原稿逆転排出キー７５が操作された場合、図４に示すような動作判断問い合わせ画面（処理選択画面）Ｇ１を操作部１５の表示部（表示手段）７６に表示して、ユーザが以降の動作を選択できるようにしてもよい。すなわち、デジタル複写装置１は、原稿逆転排出キー７５が操作されると、図４に示すように、「コピーを中断しますか」のメッセージの表示と、「継続」と「中断」の機能ボタン（選択操作手段）を動作判断問い合わせ画面Ｇ１として表示部７６に表示して、ユーザによる動作（例えば、コピー動作）の継続と中断を選択可能とし、この動作判断問い合わせ画面Ｇ１の表示に応じて、ユーザが、「継続」ボタンをタッチ操作すると、入口ローラ対６２の回転駆動を再開して、密着センサ６４による原稿の読み取り及び原稿排出ローラ対６６による原稿Ｇの原稿排紙トレイ１４への排出を行う。また、デジタル複写装置１は、動作判断問い合わせ画面Ｇ１で、ユーザが、「中断」ボタンをタッチ操作すると、停止していた入口ローラ対６２を逆回転させて、原稿Ｇを原稿台１２方向に送り返す。
【００４２】
したがって、ユーザの意図によって、動作の継続と、原稿Ｇの戻しを選択して、処理させることができる。
【００４３】
なお、上記説明においては、操作部１５に原稿逆転排出キー７５を設けて、原稿逆転排出キー７５を用いて、原稿Ｇの原稿台１２への送り返し指示を行っているが、既存の操作キーであるストップキー７３と原稿緊急停止キー７４を用いて、原稿Ｇの原稿台１２への送り返し指示を行ってもよい。
【００４４】
すなわち、デジタル複写装置１は、原稿Ｇを原稿挿入センサ６１が検出して、入口ローラ対６２を駆動させて、入口ローラ対６２が原稿Ｇを咥え込む前、または、入口ローラ対６２が原稿Ｇを咥え込んだ後に、ストップキー７３が押下されると、入口ローラ対６２が原稿Ｇを咥え込む前には、入口ローラ対６２が原稿Ｇを咥え込んで停止するのを待って、入口ローラ対６２を逆転させて、原稿Ｇを原稿台１２方向に送り返し、また、入口ローラ対６２が既に原稿Ｇを咥え込んで停止しているときには、直ちに、入口ローラ対６２を逆回転させて、原稿Ｇを原稿台１２方向に送り返す。
【００４５】
また、デジタル複写装置１は、入口ローラ対６２が原稿Ｇを咥え込んで、密着センサ６４方向に搬送を開始してから所定位置まで搬送される前、例えば、原稿レジストセンサ６３に到達する前に、ストップキー７３が操作されると、入口ローラ対６２を直ちに停止させ、その後、入口ローラ対６２を逆回転させて、原稿Ｇを原稿台１２方向に送り返す。
【００４６】
さらに、デジタル複写装置１は、入口ローラ対６２が原稿Ｇを咥え込んだ後の所定タイミングにおいて原稿緊急停止キー７４が操作された場合、図４に示したような動作判断問い合わせ画面Ｇ１を操作部１５の表示部７６に表示して、ユーザが以降の動作を選択できるようにしてもよい。なお、既存のストップキー７３と原稿緊急停止キー７４を用いる場合、操作部１５の操作によって、上記原稿Ｇの戻し処理をこれらのキー７３、７４に割り当てるモードと、本来のキー処理のみを行うモードとを切り替えられるようにしてもよい。
【００４７】
このように、既存のストップキー７３と原稿緊急停止キー７４を用いると、コストを低減することができる。
【００４８】
また、上記説明では、密着センサ６４で原稿Ｇの読み取りが開始される前に原稿逆転排出キー７５、または、ストップキー７３か原稿緊急停止キー７４が操作された場合について説明したが、密着センサ６４での原稿Ｇの読み取りが開始された後に、キー操作された場合においても、原稿Ｇを適切に原稿台１２に戻すことができる場合には、同様に、原稿Ｇを原稿台１２に送り返す処理を行ってもよい。
【００４９】
このように、本実施例のデジタル複写装置１は、原稿挿入口６７から挿入される広幅の原稿Ｇの先端を原稿挿入センサ（挿入原稿検出手段）６１が検出すると、入口ローラ対６２を密着センサ（画像読み取り手段）６４へ原稿Ｇを送り出す方向に所定量回転駆動させて、該原稿Ｇの先端部を該入口ローラ対６２に咥え込ませて、一旦停止させた後、密着センサ６４へ送り出すとともに、所定のタイミングで、原稿Ｇの原稿挿入口６７への逆送を指示する原稿逆転排出キー（原稿逆送指示手段）７５が指示操作されると、入口ローラ対６２を逆回転させて原稿Ｇを原稿挿入口６７の方向に逆送させている。
【００５０】
したがって、ユーザは、原稿Ｇを原稿挿入口６７から挿入して、入口ローラ対６２による原稿Ｇの状態が不適切であると、原稿逆転排出キー７５を押すことで、従来のように、力任せに原稿Ｇを引き抜いたり、いちいち読み取り部カバー６８を開いて入口ローラ対６２の当接を解除して、原稿Ｇを引き抜く手間をかけることなく、適切かつ容易に原稿Ｇを原稿台１２に戻させることができ、原稿Ｇの挿入のやり直しを容易に行うことができる。
【００５１】
また、本実施例のデジタル複写装置１は、原稿挿入口６７から挿入された原稿Ｇを入口ローラ対６２が咥え込む前のタイミングに、原稿逆転排出キー７５が操作されると、入口ローラ対６２に原稿Ｇを咥え込ませて一旦停止させた後、入口ローラ対６２を逆回転させている。
【００５２】
したがって、原稿挿入口６７から挿入された原稿Ｇを確実かつ適切に原稿台１２に送り返すことができ、利用性を向上させることができる。
【００５３】
さらに、本実施例のデジタル複写装置１は、原稿挿入口６７から挿入された原稿Ｇを入口ローラ対６２が咥え込んで、停止させているタイミングで、原稿逆転排出キー７５が操作されると、速やかに入口ローラ対６２を逆回転させている。
【００５４】
したがって、原稿Ｇを速やかに原稿台１２に送り返して、原稿Ｇの挿入のやり直しを速やかに行うことができ、利用性をより一層向上させることができるとともに、皺等が原稿に定着してしまうのを防止することができる。
【００５５】
また、本本実施例のデジタル複写装置１は、入口ローラ対６２が原稿Ｇを咥え込んだ後、密着センサ６４方向への送り出しを開始して、所定位置（例えば、原稿レジストセンサ６３位置）まで原稿Ｇが到達する前のタイミングに、原稿逆転排出キー７５が操作されると、入口ローラ対６２を一旦停止させた後、逆回転させている。
【００５６】
したがって、原稿Ｇの先端部を咥え込んだ後、密着センサ６４方向に原稿Ｇの搬送を開始しても、適切に原稿Ｇを原稿台１２に戻すことができるときには、原稿Ｇを原稿台１２に戻すことができ、不要な動作を行わせてしまうことなく、原稿Ｇの挿入からやり直すことができ、利用性をより一層向上させることができるとともに、コピー動作時等の用紙への画像出力を未然に防止して、資源の無駄が発生することを防止することができる。
【００５７】
さらに、本実施例のデジタル複写装置１は、原稿逆転排出キー７５が操作されると、入口ローラ対６２を停止させて、操作部１５の表示部（表示手段）７６に、その後の動作指示を要求する処理選択画面を表示させ、該処理選択画面の表示に応じて指示された動作を入口ローラ対６２に行わせている。
【００５８】
したがって、ユーザの意図する動作を適切に行うことができ、利用性を向上させることができる。
【００５９】
また、本実施例のデジタル複写装置１は、原稿逆転排出キー７５の代わりに、既存のストップキー７３と原稿緊急停止キー７４を用いてもよい。
【００６０】
このようにすると、コストを削減するとともに、操作部１５のキーの数を増加させることなく、原稿Ｇの挿入のやり直しを速やかに行うことができる。
【００６１】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００６２】
本発明は、広幅原稿の読み取りを行うスキャナ装置、複写装置、複合装置等の画像読み取り装置に利用することができる。
【符号の説明】
【００６３】
１  デジタル複写装置
２  本体筐体
３  給紙部
４  搬送部
５  画像形成部
６  定着部
７  排紙部
８  画像読み取り部
１０  手差しトレイ
１１  排紙トレイ
１２  原稿台
１３  長尺原稿排紙トレイ
１４  原稿排紙トレイ
１５  操作部
２１  ロール紙
２２  送り出しローラ
３１  搬送ローラ
３２  カッター
３３  レジストローラ
４１  感光体
４２  帯電部
４３  光書込部
４４  現像部
４５  転写部
４６  クリーニング部
４７  定着部
５１、５２  排紙ローラ
６１  原稿挿入センサ
６２  入口ローラ対
６３  原稿レジストセンサ
６４  密着センサ
６４  密着センサ
６５  白基準部材
６６  原稿排出ローラ対
６７  原稿挿入口
６８  読み取り部カバー
７１  テンキー
７２  スタートキー
７３  ストップキー
７４  原稿緊急停止キー
７５  原稿逆転排出キー
７６  表示部
Ｇ１  動作判断問い合わせ画面
【先行技術文献】
【特許文献】
【００６４】
【特許文献１】特開２００２−４６８９３号公報
【図１】
2012173355.tif 000003
【図２】
2012173355.tif 000004
【図３】
2012173355.tif 000005
【図４】
2012173355.tif 000006